(57)【特許請求の範囲】
【請求項１】
直方体状に形成されて、底板と、前記底板の相互に対向する第１辺と第３辺にそれぞれ立設された第１側板と第３側板と、前記底板の他に相互に対向する第２辺と第４辺とにそれぞれ立設された第２側板と第４側板と、前記第１側板の上端縁において内側に向けて折曲された第１天フラップと前記第３側板の上端縁において内側に向けて折曲された第３天フラップとによって構成された天板とを有する包装箱と、前記包装箱の第１側板、前記第２側板、前記第３側板、前記第４側板、前記天板を覆うとともに下方に前記包装箱が挿脱される開口部を有する外箱と、を備えた箱セットにおいて、
前記第２側板の上端縁において内側に向けて折曲されるととともに前記第２側板の上端縁に沿って延びる第２受台と、前記第２受台の内端縁から下方に延設されて前記底板に至る第２脚部とを有する第２補強部と、
前記第４側板の上端縁において内側に向けて折曲されるととともに前記第４側板の上端縁に沿って延びる第４受台と、前記第４受台の内端縁から下方に延設されて前記底板に至る第４脚部とを有する第４補強部と、
前記第１天フラップの内端縁から下方に向けて折曲された第１ブリッジと、前記第３天フラップの内端縁から下方に向けて折曲されて前記第１ブリッジに重ね合わされた第３ブリッジとによって構成されたブリッジ部と、
少なくとも前記第１側板に形成された窓部と、を備え、
前記第１ブリッジ及び前記第３ブリッジは、一方の端部が、前記第２受台及び前記第２脚部に形成された第２スリットに上方から係合されて一方の端縁が前記第２側板の内側面に当接し、他方の端部が、前記第４受台及び前記第４脚部に形成された第４スリットに上方から係合されて他方の端縁が前記第４側板の内側面に当接し、
前記第１ブリッジ及び前記第３ブリッジは、前記一方の端部に、前記第２脚部に交差するように係合して前記第２脚部の位置を規制して前記第２脚部の内側及び外側への倒伏を防止する第２係合部を有し、前記他方の端部に、前記第４脚部に交差するように係合して前記第４脚部の位置を規制して前記第４脚部の内側及び外側への倒伏を防止する第４係合部を有する、
ことを特徴とする箱セット。
【請求項２】
前記第１側板及び前記第３側板の左右寸法に対して、前記第１側板及び前記第３側板の上下寸法の方が大きい場合において、
前記第２脚部及び前記第４脚部における高さ方向の中間近傍に、前記第１側板から前記第３側板に向かって延びる折曲部を設けた、
ことを特徴とする請求項１に記載の箱セット。
【発明の詳細な説明】
【技術分野】
【０００１】
本発明は、収納物を陳列展示した状態で、段積みされる（積み上げられる）段ボール箱等の包装箱と、流通時等に包装箱を覆う外箱とを備えた箱セットに関する。
【背景技術】
【０００２】
段ボール箱等の包装箱に収納する収納物が、瓶類や缶類の場合には、収納物が収納された状態の包装箱を段積みする（積み上げる）際、これら収納物が重量を支えることが可能である。
【０００３】
ところが、収納物が液状の食品や液体のシャンプーの入った、例えばスタンディングパウチ等の場合には、包装箱を段積みする際には、包装箱自体で重量を支える必要がある。
【０００４】
このような包装箱のうち、従来、段積み可能な受台を有する収納箱が知られている（例えば、特許文献１参照）。
【０００５】
このものは、前側板、天板、後側板の一部を分離除去することより、右側板及び左側板の上端にそれぞれ受台を構成するものである。受台は、内外フラップの一部と胴板とによって構成され、右側板及び左側板の上端に沿って前後方向に延びる帯状に形成されている。
【０００６】
この収納箱は、左右に受台があるために、段積みが可能となっている。
【先行技術文献】
【特許文献】
【０００７】
【特許文献１】実登３０４６９５０号
【発明の概要】
【発明が解決しようとする課題】
【０００８】
しかしながら、上述の収納箱は、受台に対して上方からかかる荷重に対しても、また、受台のある左側板及び右側板を内側に倒しこもうとする荷重に対しても、必ずしも十分な強度を発揮するものではない。
【０００９】
そこで、本発明は、上述した事情に鑑みてなされたものであり、受台に対して上方からかかる荷重に対しても、また、受台のある左側板及び右側板を内側に倒しこもうとする荷重に対して、陳列展示時及び流通時に、十分な強度を発揮することができる箱セットを提供することを目的とするものである。
【課題を解決するための手段】
【００１０】
請求項１に係る発明は、直方体状に形成されて、底板と、前記底板の相互に対向する第１辺と第３辺にそれぞれ立設された第１側板と第３側板と、前記底板の他に相互に対向する第２辺と第４辺とにそれぞれ立設された第２側板と第４側板と、前記第１側板の上端縁において内側に向けて折曲された第１天フラップと前記第３側板の上端縁において内側に向けて折曲された第３天フラップとによって構成された天板とを有する包装箱と、前記包装箱の第１側板、前記第２側板、前記第３側板、前記第４側板、前記天板を覆うとともに下方に前記包装箱が挿脱される開口部を有する外箱と、を備えた箱セットにおいて、前記第２側板の上端縁において内側に向けて折曲されるととともに前記第２側板の上端縁に沿って延びる第２受台と、前記第２受台の内端縁から下方に延設されて前記底板に至る第２脚部とを有する第２補強部と、前記第４側板の上端縁において内側に向けて折曲されるととともに前記第４側板の上端縁に沿って延びる第４受台と、前記第４受台の内端縁から下方に延設されて前記底板に至る第４脚部とを有する第４補強部と、前記第１天フラップの内端縁から下方に向けて折曲された第１ブリッジと、前記第３天フラップの内端縁から下方に向けて折曲されて前記第１ブリッジに重ね合わされた第３ブリッジとによって構成されたブリッジ部と、少なくとも前記第１側板に形成された窓部と、を備え、前記第１ブリッジ及び前記第３ブリッジは、一方の端部が、前記第２受台及び前記第２脚部に形成された第２スリットに上方から係合されて一方の端縁が前記第２側板の内側面に当接し、他方の端部が、前記第４受台及び前記第４脚部に形成された第４スリットに上方から係合されて他方の端縁が前記第４側板の内側面に当接し、前記第１ブリッジ及び前記第３ブリッジは、前記一方の端部に、前記第２脚部に交差するように係合して前記第２脚部の位置を規制して前記第２脚部の内側及び外側への倒伏を防止する第２係合部を有し、前記他方の端部に、前記第４脚部に交差するように係合して前記第４脚部の位置を規制して前記第４脚部の内側及び外側への倒伏を防止する第４係合部を有する、ことを特徴とする。
【００１１】
請求項２に係る発明は、請求項１に記載の箱セットにおいて、前記第１側板及び前記第３側板の左右寸法に対して、前記第１側板及び前記第３側板の上下寸法の方が大きい場合において、前記第２脚部及び前記第４脚部における高さ方向の中間近傍に、前記第１側板から前記第３側板に向かって延びる折曲部を設けた、ことを特徴とする。
【発明の効果】
【００１４】
請求項１に係る発明によれば、第２脚部によって支持された第２受台と、第４脚部によって支持された第４受台とによって上方からの荷重を支え、また、一方の端縁が第２側板の内側面に当接し、他方の端縁が第４側板の内側面に当接するブリッジ部によって、第２側板及び第４側板を内側に倒伏させる方向の荷重を支持することができる。つまり、従来技術と比較して、陳列展示時及び流通時の双方において、荷重に対して強固な構成とすることができる。
また、第１天フラップと一体の第１ブリッジと、第３天フラップと一体の第３ブリッジとによってブリッジ部を構成することにより、その構成を簡略化することができる。また、ブリッジ部によっても上方からの荷重を支持することが可能である。
また、第１ブリッジ及び第３ブリッジの一方の端部を第２スリットの上方から係合させることで、第１ブリッジ及び第３ブリッジの一方の端縁を容易に第１側板の内側面に当接させることができ、また、第１ブリッジ及び第３ブリッジの他方の端部を第４スリットの上方から係合させることで、第１ブリッジ及び第３ブリッジの他方の端縁を容易に第３側板の内側面に当接させることができる。
また、第２係合部が第２脚部に交差するように係合して第２脚部の位置を規制し、また、第４係合部が第４脚部に交差するように係合して第４脚部の位置を規制することにより、第２脚部及び第４脚部を、内側及び外側に倒伏させる方向の荷重を支えることができる。さらに、第２受台、第４受台を介して、第２側板、第４側板を外側に倒伏させる方向の荷重を支えることができる。
【００１５】
請求項２の発明によれば、第２脚部及び第４脚部を、その高さ方向の中間近傍の折曲部折り曲げることで、組立時の第２脚部及び第４脚部の包装箱の内側への入れこみを可能となる。
【図面の簡単な説明】
【００１８】
【図１】外箱１００で包装箱１を覆った状態の箱セットＢを前側左斜め上方から見た斜視図である。
【図２】包装箱１を前側左斜め上方から見た斜視図である。
【図３】図２中のＸ―Ｘ線矢視図である。
【図４】包装箱１の展開図である。
【図５】包装箱１Ａの展開図である。
【図６】収納物陳列時の包装箱１Ｂを前側左斜め上方から見た斜視図である。
【図７】図６中のＹ−Ｙ線矢視図のうちの右端側の拡大図である。
【図８】包装箱１Ｂの展開図である。
【図９】外箱１００で包装箱１Ｃを覆った状態の箱セットＢＣを前側左斜め上方から見た斜視図である。
【図１０】包装箱１Ｃを前側左斜め上方から見た斜視図である。
【図１１】包装箱１Ｃの展開図である。
【図１２】外箱１００で包装箱１Ｄを覆った状態の箱セットＢＤを前側左斜め上方から見た斜視図である。
【図１３】収納物陳列時の包装箱１Ｄを前側左斜め上方から見た斜視図である。
【図１４】包装箱１Ｄの展開図である。
【図１５】収納物陳列時の包装箱１Ｅを前側左斜め上方から見た斜視図である。
【図１６】包装箱１Ｅの展開図である。
【図１７】収納物陳列時の包装箱１Ｆを前側左斜め上方から見た斜視図である。
【図１８】包装箱１Ｆの展開図である。
【図１９】包装箱を段積みした状態を説明する図である。
【図２０】収納物陳列時の包装箱１Ｇを前側左斜め上方から見た斜視図である。
【図２１】包装箱１Ｇの展開図である。
【図２２】収納物陳列時の包装箱１Ｈを前側左斜め上方から見た斜視図である。
【図２３】包装箱１Ｈの展開図である。
【発明を実施するための形態】
【００１９】
以下、本発明を適用した実施形態を、図面に基づいて詳述する。なお、各図面において、同じ符号を付した部材等は、同一又は類似の構成のものであり、これらについての重複説明は適宜省略するものとする。また、各図面においては、説明に不要な部材等は適宜、図示を省略している。
＜実施形態１＞
【００２０】
図１〜図５を参照して、本発明を適用した実施形態１に係る箱セットＢについて説明する。なお、以下では、説明の便宜上、図１中に矢印で示す上下前後左右が、箱セットＢ、外箱１００、包装箱１の上下前後左右に対応するものとして説明する。また、外箱１００、包装箱１の素材となる段ボール板等の厚さについえは、適宜、図示を省略している。
【００２１】
図１は、物流時の箱セットＢ、すなわち外箱１００で包装箱１を覆った状態の箱セットＢを前側左斜め上方から見た斜視図である。
【００２２】
箱セットＢは、図２に示す包装箱１と、この包装箱１を覆う外箱１００によって構成されている。
【００２３】
外箱１００は、４つの側板からなる側板部１１０と、天板１３０とを備えて構成されている。側板部１１０は、後述する包装箱１の前側板１１、右側板１２、後側板１３、左側板１４をそれぞれ覆う前側板１１１、右側板１１２、後側板１１３、左側板１１４を有している。天板１３０は、これら前側板１１１、後側板１１３の上端縁に連設されていて、包装箱１の天板３０を上方から覆うものである。左側板１１４には、指押込部形成用切れ目１１４ａが設けられ、右側板１１２にも同様の指押込部形成用切れ目（不図示）が設けられている。これらの指押込部形成用切れ目１１４ａ等は、後述する包装箱１の指押込部形成用切れ目１４ａ，１２ａに対応する位置に形成されている。
【００２４】
外箱１００の素材としては、段ボール板、厚手のボール紙板、合成紙板、合成樹脂板等を採用することが可能である。
【００２５】
図２は、収納物陳列時（外箱１００を取り外した状態）の包装箱１を前側左斜め上方から見た斜視図である。また、図３は、図２中のＸ−Ｘ線矢視図である。また、図４は、包装箱１の展開図である。なお、図４に示す折曲線Ｌ１〜Ｌ１８は、いずれも９０度の角度をもって折曲する山折り線である。
【００２６】
包装箱１は、例えば、段ボール板（段ボール原紙）から抜き型により打ち抜かれた図４に示すような展開形状のものを、所定の折曲線で折曲し、また、必要に応じて粘着テープやホットメルトによって接着することにより、全体として直方体状に形成されている。なお、包装箱１の素材としては、段ボール板の外に、厚手のボール紙板、合成紙板、合成樹脂板等を採用することも可能である。
【００２７】
直方体状の包装箱１は、４つの側板からなる側板部１０と、底板２０と、天板３０とを備えている。底板２０は、矩形に形成されていて、４つの辺に相当する４つの折曲線（稜線部）、すなわち第１辺（前側の辺）に相当する折曲線Ｌ５、第２辺（右側の辺）に相当する折曲線Ｌ６、第３辺（後側の辺）に相当する折曲線Ｌ７、第４辺（左側の辺）に相当する折曲線Ｌ８を有している。これら折曲線Ｌ５〜Ｌ８のうち、折曲線Ｌ５と折曲線Ｌ７とが対向し、また、折曲線Ｌ６と折曲線Ｌ８とが対向している。
【００２８】
４つの側板は、折曲線Ｌ５に第１側板としての前側板１１が立設され、折曲線Ｌ６に第２側板としての右側板１２が立設され、折曲線Ｌ７に第３側板としての後側板１３が立設され、折曲線Ｌ８に第４側板としての左側板１４が立設されている。
【００２９】
天板３０は、前側板１１の上端縁において折曲線Ｌ９で内側（後方）に向けて折曲された第１天フラップとしての前天フラップ３１と、後側板１３の上端縁において折曲線Ｌ１４で内側（前方）に向けて折曲された第３天フラップとしての後天フラップ３３と、後述する前ブリッジ３２、後ブリッジ３４からなるブリッジ部３９（図２参照）とを備えて構成されている。
【００３０】
包装箱１には、前側板１１から前天フラップ３１にかけて、切断線で切断された窓部Ｗ１が設けてある。切断線は、４本の切断線ａ，ｂ，ｃ，ｄによって構成されている。すなわち、切断線は、前側板１１の下部近傍において左右に延びる切断線ａと、この切断線ａの右端から上方に延びて折曲線L９に交差して、さらに後方に延びて、前天フラップ３１の後端よりも手前で止まる切断線ｂと、この切断線ｂと平行な切断線ｄすなわち、切断線ａの左端から上方に延びて折曲線Ｌ９に交差して、さらに後方に延びて、前天フラップ３１の後端よりも手前で止まる切断線ｄと、これら切断線ｂ，ｄの後端を結ぶ切断線ｃとによって構成されている。また、この窓部Ｗ１と同様の窓部Ｗ３が、後側板１３から後天フラップ３３にかけて切断線に囲まれて形成されている。これらの窓部Ｗ１，Ｗ３を介して、包装箱１内に収納されている収納物Ｎ（図１９参照）を外部から見えるように陳列することができる。
【００３１】
図４に示すように、包装箱１は、展開状態において、側板部１０を構成する４つの側板、すなわち前側板１１、右側板１２、後側板１３、左側板１４は、直列に連設されている。すなわち、前側板１１と右側板１２と後側板１３と左側板１４は、この順に、折曲線Ｌ１，Ｌ２，Ｌ３を介して連設されており、さらに、前側板１１には、折曲線Ｌ４を介して胴貼り部１１ａが連設されている。
【００３２】
前側板１１、右側板１２、後側板１３、左側板１４の下端縁には、この順に折曲線Ｌ５，Ｌ６，Ｌ７，Ｌ８を介して矩形状の底フラップ２１，２２，２３，２４が連設されている。これら底フラップ２１〜２４が後述のように重ね合わされることにより、底板２０が構成される。底フラップ２２，２４には、折曲線Ｌ６，Ｌ８に近い側にこれら折曲線Ｌ６，Ｌ８に沿ってスリット２２ａ，２４ａが形成されている。これらスリット２２ａ，２４ａは、後述する右脚部４２、左脚部５２の挿し込みタブ４２ａ，５２ａが挿入されるものである。右側板１２及び左側板１４の、図４中の左右方向の中心で、かつ上下方向の中心より上側には、それぞれ指押込部形成用切れ目１２ａ，１４ａが設けてある。
【００３３】
前側板１１の上端縁には、折曲線Ｌ９を介して、第１天フラップとしての前天フラップ３１が連設されており、この前天フラップ３１には折曲線Ｌ１０を介して、第１ブリッジとしての前ブリッジ３２が連設されている。前ブリッジ３２は、折曲線Ｌ１０に沿って長く延びる帯状に形成されていて、右端部（一方の端部）３２ｃ、右端縁（一方の端縁）３２ａ、左端部（他方の端部）３２ｄ、左端縁（他方の端縁）３２ｂを有している。この前ブリッジ３２と後述する後ブリッジ３４とによってブリッジ部３９を構成している。
【００３４】
右側板１２の上端縁には、折曲線Ｌ１１を介して第２補強部としての右補強部４０が連設されている。右補強部４０は、右側板１２の上端縁に折曲線Ｌ１１を介して連設された第２受台としての右受台４１と、この右受台４１に折曲線Ｌ１２を介して連設された第２脚部としての右脚部４２と、この右脚部４２に折曲線Ｌ１３を介して連設された右ベース４３とを有している。右補強部４０には、図４中において、右受台４１の左右方向の中心に、折曲線Ｌ１１から上方に延びて右受台４１を横断して、右脚部４２に入り込む第２スリットとしての右スリット４０ａが形成されている。
【００３５】
この右スリット４０ａは、包装箱１の素材としての段ボール板を表裏方向に貫通している。この右スリット４０ａには、組立後の包装箱１において、前ブリッジ３２と後述の後ブリッジ３４の一方の端部３２ｃ，３４ｃが挿入される。右脚部４２における折曲線Ｌ１３上には、挿し込みタブ４２ａが設けてある。挿し込みタブ４２ａは、折曲線Ｌ１３上にない３方が切断されていて、折曲線Ｌ１３で右ベース４３を折曲した際に折曲線Ｌ１３から突出するように形成されている。
【００３６】
後側板１３の上端縁には、折曲線Ｌ１４を介して、第３天フラップとしての後天フラップ３３が連設されており、この後天フラップ３３には折曲線Ｌ１５を介して、第３ブリッジとしての後ブリッジ３４が連設されている。後ブリッジ３４は、折曲線Ｌ１５に沿って長く延びる帯状に形成されていて、一方の端部３４ｃ、一方の端縁３４ａ、他方の端部３４ｄ、他方の端縁３４ｂを有している。上述の前ブリッジ３２と後ブリッジ３４とによって、補強用のブリッジ部３９を構成している。
【００３７】
左側板１４の上端縁には、折曲線Ｌ１６を介して第４補強部としての左補強部５０が連設されている。左補強部５０は、左側板１４の上端縁に折曲線Ｌ１６を介して連設された第４受台としての左受台５１と、この左受台５１に折曲線Ｌ１７を介して連設された第４脚部としての左脚部５２と、この左脚部５２に折曲線Ｌ１８を介して連設された左ベース５３とを有している。左補強部５０には、図４中において、左受台５１の左右方向の中心に、折曲線Ｌ１６から上方に延びて左受台５１を横断して、左脚部５２に入り込む第４スリットとしての左スリット５０ａが形成されている。
【００３８】
この左スリット５０ａは、包装箱１の素材としての段ボール板を表裏方向に貫通している。この左スリット５０ａには、組立後の包装箱１において、前ブリッジ３２と後ブリッジ３４の他方の端部３２ｄ，３４ｄが挿入される。左脚部５２における折曲線Ｌ１８上には、挿し込みタブ５２ａが設けてある。挿し込みタブ５２ａは、折曲線Ｌ１８上にない３方が切断されていて、折曲線Ｌ１８で左ベース５３を折曲した際に折曲線Ｌ１８から突出するように形成されている。
【００３９】
包装箱１は、図４に示す展開状態から以下のようにして組み立てられる。なお、上述したように、折曲線Ｌ１〜Ｌ１８での折曲は、９０度をもって行う山折りである。また、組立順は、以下に限定されないのはもちろんである。
【００４０】
まず、４つの側板によって側板部１０を構成する。すなわち前側板１１、右側板１２、後側板１３、左側板１４を、折曲線Ｌ１，Ｌ２，Ｌ３，Ｌ４で折曲し、胴貼り部１１ａを左側板１４の前側の上下方向の端部に裏面側から、例えば、粘着テープ、ホットメルト等によって貼着（接着）する。これにより、前側板１１、右側板１２、後側板１３、左側板１４によって前後左右の４周を囲んで側板部１０を構成する。
【００４１】
つづいて、折曲線Ｌ５，Ｌ６，Ｌ７，Ｌ８で、底フラップ２１，２２，２３，２４を折曲する。すなわち、底フラップ２２，２４を折曲し、これらの下側に底フラップ２１，２３を折曲し、粘着テープ、ホットメルト等によって接着する。４つの底フラップ２１〜２４によって底板２０が構成される。
【００４２】
右補強部４０を側板部１０の内側に折曲する。
【００４３】
上述のように、右補強部４０は、右受台４１と、右脚部４２と、右ベース４３によって構成されている。折曲線Ｌ１３で右ベース４３を折曲して、挿し込みタブ４２ａを突出させる。折曲線Ｌ１２で右脚部４２を折曲し、さらに、折曲線Ｌ１１で、右受台４１を折曲する。これにより、右受台４１は、右側板１２の上端縁（折曲線Ｌ１１）に沿って前後方向に延びるほぼ水平な帯状の部分となる。
【００４４】
また、右脚部４２は、右受台４１の内端縁（折曲線Ｌ１２）から下方に延びて底板２０に至る。右ベース４３は右脚部４２の下端縁（折曲線Ｌ１３）で、右側板１２に向けて折曲されて、底板２０上に配置される。挿し込みタブ４２ａを底フラップ２２のスリット２２ａに挿し込むことにより、右補強部４０が構成される。右補強部４０は、右側板１２とともに、上下左右が囲まれた部屋状の補強構造を構成する。この補強構造は、前側から見ると上下方向に長い矩形形状となっている。
【００４５】
左補強部５０を側板部１０の内側に折曲する。
【００４６】
上述のように、左補強部５０は、左受台５１と、左脚部５２と、左ベース５３によって構成されている。折曲線Ｌ１８で左ベース５３を折曲して、挿し込みタブ５２ａを突出させる。折曲線Ｌ１７で左脚部５２を折曲し、さらに、折曲線Ｌ１６で、左受台５１を折曲する。これにより、左受台５１は、左側板１４の上端縁（折曲線Ｌ１６）に沿って前後方向に延びるほぼ水平な帯状の部分となる。
【００４７】
また、左脚部５２は、左受台５１の内端縁（折曲線Ｌ１７）から下方に延びて底板２０に至る。左ベース５３は左脚部５２の下端縁（折曲線Ｌ１８）で、左側板１４に向けて折曲されて、底板２０上に配置される。挿し込みタブ５２ａを底フラップ２４のスリット２４ａに挿し込むことにより、左補強部５０が構成される。左補強部５０は、左側板１４とともに、上下左右が囲まれた部屋状の補強構造を構成する。この補強構造は、前側から見ると上下方向に長い矩形形状となっている。
【００４８】
前側板１１側の、前天フラップ３１に折曲線Ｌ１０を介して連設された前ブリッジ３２を、折曲線Ｌ１０で折曲し、前天フラップ３１を折曲線Ｌ９で折曲し、前ブリッジ３２の右端部（一方の端部）３２ｃを右補強部４０の右スリット４０ａに上方から挿入し、これと並行して、前ブリッジ３２の左端部（他方の端部）３２ｄを左補強部５０の左スリット５０ａに上方から挿入する。
【００４９】
後側板１３側の、後天フラップ３３に折曲線Ｌ１５を介して連設された後ブリッジ３４を、折曲線Ｌ１５で折曲し、後天フラップ３３を折曲線Ｌ１４で折曲し、後ブリッジ３４の右端部（一方の端部）３４ｃを右補強部４０の右スリット４０ａに上方から挿入し、これと並行して、後ブリッジ３４の左端部（他方の端部）３４ｄを左補強部５０の左スリット５０ａに上方から挿入する。
【００５０】
以上で、包装箱１の組立が終了する。
【００５１】
こうして組み立てられた包装箱１は、図３に示すように、右受台４１、左受台５１がそれぞれ右脚部４２、左脚部５２によって支持されて右補強部４０、左補強部５０を構成しているために、包装箱１に対して上方から負荷される荷重を右受台４１、左受台５１で有効に支えることができる。包装箱１に外箱１００が被せられた状態の箱セットＢ全体についても、同様に、右補強部４０、左補強部５０により、箱セットＢに対して上方から負荷される荷重を右受台４１、左受台５１で有効に支えることができる。
【００５２】
さらに、包装箱１は、右補強部４０と左補強部５０との間に前ブリッジ３２、後ブリッジ３４からなるブリッジ部３９が架け渡され、これら前ブリッジ３２と後ブリッジ３４の右端部３２ｃ，３４ｃが右スリット４０ａに挿入されて、右端縁３２ａ，３４ａが上下方向の全長にわたって右側板１２の内側面１２ｂに当接されている。また、前ブリッジ３２と後ブリッジ３４の左端部３２ｄ，３４ｄが左スリット５０ａに挿入されて、左端縁３２ｂ，３４ｂが上下方向の全長にわたって左側板１４の内側面１４ｂに当接されている。
【００５３】
このため、右側板１２、左側板１４を内側に倒伏させる方向の力を、前ブリッジ３２、後ブリッジ３４によって有効に支えることができる。箱セットＢ全体についても同様である。なお、右端縁３２ａ，３４ａ、左端縁３２ｂ，３４ｂは、必ずしも全長にわたって当接する必要はなく、その一部が当接するものであってもよい。ただし、当接長さが長いほど、大きな力を受けることができる。
【００５４】
ここで、上述の「右端縁３２ａ，３４ａが右側板１２の内側面１２ｂに当接されている」、「左端縁３２ｂ，３４ｂが左側板１４の内側面１４ｂに当接されている」と言ったときの「当接」について説明する。この「当接」には、適度な力が加わった状態で接触する場合、力が加わらない状態で接触する場合、型抜き精度や組立精度の問題で僅かに間隙が開いているが、外力が加わって右側板１２や左側板１４がわずかに変形することでこの間隙がなくなる場合等も含むものとする。
【００５５】
なお、本実施形態の前ブリッジ３２、後ブリッジ３４は、特殊な形状に形成することなく、一般的な蓋部材に使用されるフラップと同様な形状とすることができる。つまり、前ブリッジ３２、後ブリッジ３４の端部３２ｃ，３２ｄ，３４ｃ，３４ｄの形状に着目すると、本実施形態では、単純な長方形状（矩形状）となっている。
【００５６】
図５に、上述の包装箱１とは異なる包装箱１Ａの展開図を示す。同図に示す包装箱１Ａは、その底板２０Ａの構造が、上述の包装箱１の底板２０の構造と異なり、他の側板部１０、天板３０、右補強部４０、左補強部５０、ブリッジ部３９等の構造は、同様である。以下では、同様な構成の説明は省略する。
【００５７】
包装箱１Ａの底板２０Ａは、まず、折曲線Ｌ５で底フラップ２５を折曲し、次に、折曲線Ｌ６，Ｌ８で底フラップ２６，２８を折曲し、そして、折曲線Ｌ７で底フラップ２７を折曲して、底フラップ２７の凸部２７ａを、底フラップ２５の凹部２５ａに挿入する。なお、底フラップ２６，２８のスリット２６ａ，２８ａは、右補強部４０、左補強部５０の挿し込みタブ４２ａ，５２ａを挿入するスリットである。
【００５８】
この包装箱１Ａは、粘着テープやホットメルトを使用することなしに、４つの底フラップ２５，２６，２７，２８を上述のように組み合わせることで、底板２０Ａを構成することができる。ただし、底板２０Ａを構成するために必要とされる段ボールの面積は、図４に示す包装箱１の底板２０を構成するために必要とされる段ボールの面積よりも大きくなる。
＜実施形態２＞
【００５９】
図６〜図８を参照して、本発明を適用した実施形態２に係る箱セット（不図示）の包装箱１Ｂについて説明する。ここで、図６は、収納物陳列時の包装箱１Ｂを前側左斜め上方から見た斜視図である。図７は、図６中のＹ−Ｙ線矢視図のうちの右端側の拡大図である。図８は、包装箱１Ｂの展開図である。
【００６０】
包装箱１Ｂは、包装箱１に対して、天板３０Ｂのブリッジ部３９Ｂの構成が異なり、これ以外の構成は同様であるので、同様な構成については適宜説明を省略する。
【００６１】
ブリッジ部３９Ｂの一部を構成する前ブリッジ（第１ブリッジ）３５は、前天フラップ（第１天フラップ）３１に折曲線Ｌ１０を介して連設されており、この折曲線Ｌ１０で折曲することで、右端部３５ｅが右スリット４０ａ内に上方から挿入され、左端部３５ｆが左スリット５０ａに上方から挿入される。前ブリッジ３５は、右端部３５ｅに、凸部３５ａ，３５ｂが形成されている。
【００６２】
凸部３５ａは、大きい三角形状に形成されていて、外側（右側）に配置され、凸部３５ｂは、小さい三角形状に形成されていて、内側（左側）に配置されている。凸部３５ａと凸部３５ｂとの間には、凹部（第２係合部）３５ｄが形成されている。また、凸部３５ａの外側の右端縁３５ｃは、図７に示すように、前ブリッジ３５の中間部の幅ａ１よりも長いａ２（ａ２＞ａ１）になっていて、右側板１２の内側面１２ｂに当接するようになっている。
【００６３】
前ブリッジ３５の左端部３５ｆは、上述の右端部３５ｅと同様に構成されている。すなわち、左端部３５ｆには、凸部３５ａ，３５ｂが形成されている。凸部３５ａは、大きい三角形状に形成されていて、外側（左側）に配置され、凸部３５ｂは、小さい三角形状に形成されていて、内側（右側）に配置されている。凸部３５ａと凸部３５ｂとの間には、凹部（第４係合部）３５ｄが形成されている。また、凸部３５ａの外側の左端縁３５ｃは、前ブリッジ３５の中間部の幅ａ１よりも長いａ２（ａ２＞ａ１）になっていて、左側板１４の内側面１４ｂに当接するようになっている。
【００６４】
ブリッジ部３９Ｂの一部を構成する後ブリッジ３６は、上述の前ブリッジ３５と同様に形成されている。すなわち、後ブリッジ３６は、後天フラップ３３に折曲線Ｌ１５を介して連設されており、この折曲線Ｌ１５で折曲することで、右端部３６ｅが右スリット４０ａ内に上方から挿入され、左端部３６ｆが左スリット５０ａに上方から挿入される。後ブリッジ３６は、右端部３６ｅに、凸部３６ａ，３６ｂが形成されている。
【００６５】
凸部３６ａは、大きい三角形状に形成されていて、外側（右側）に配置され、凸部３６ｂは、小さい三角形状に形成されていて、内側（左側）に配置されている。凸部３６ａと凸部３６ｂとの間には、凹部（第２係合部）３６ｄが形成されている。また、凸部３６ａの外側の右端縁３６ｃは、図７に示すように、後ブリッジ３６の中間部の幅ａ１よりも長いａ２（ａ２＞ａ１）になっていて、右側板１２の内側面１２ｂに当接するようになっている。
【００６６】
後ブリッジ３６の左端部３６ｆは、上述の右端部３６ｅと同様に構成されている。すなわち、左端部３６ｆには、凸部３６ａ，３６ｂが形成されている。凸部３６ａは、大きい三角形状に形成されていて、外側（左側）に配置され、凸部３６ｂは、小さい三角形状に形成されていて、内側（右側）に配置されている。凸部３６ａと凸部３６ｂとの間には、凹部（第４係合部）３６ｄが形成されている。また、凸部３６ａの外側の左端縁３６ｃは、前ブリッジ３６の中間部の幅ａ１よりも長いａ２（ａ２＞ａ１）になっていて、左側板１４の内側面１４ｂに当接するようになっている。
【００６７】
前ブリッジ３５、後ブリッジ３６は、右端部３５ｅ，３６ｅが右スリット４０ａに、また、左端部３５ｆ，３６ｆが左スリット５０ａに係合された際に、右端縁３５ｃ，３６ｃが右側板１２の内側面１２ｂに当接し、また、左端縁３５ｃ，３６ｃが左側板１４の内側面１４ｂに当接する。さらに、右端部３５ｅ，３６ｅの凹部３５ｄ，３６ｄが、右スリット４０ａの下端４０ｂに係合して、右脚部４２の位置を規制し、左端部３５ｆ，３６ｆの凹部３５ｄ，３６ｄが、左スリット５０ａの下端５０ｂに係合して、左脚部５２の位置を規制する。
【００６８】
このため、本実施形態の包装箱１Ｂにあっては、上述の実施形態１の包装箱１の作用効果に加え、さらに、右脚部４２及び左脚部５２を内側及び外側に倒伏させるような力を有効に受けることができる。このため、本実施形態の包装箱１Ｂは、実施形態１の包装箱１よりも、さらに強度を増すことができる。
【００６９】
なお、図７に示す前ブリッジ３５，後ブリッジ３６の右端部３５ｅ，３６ｅの凸部３５ｂ，３６ｂ、及び左端部３５ｆ，３６ｆの凸部３５ｂ，３６ｂを省略したような形状とすることもできる。
【００７０】
図９，図１０，図１１を参照して、箱セットＢＣ、包装箱１Ｃについて説明する。ここで、図９は、外箱１００で包装箱１Ｃを覆った状態の箱セットＢＣを前側左斜め上方から見た斜視図である。図１０は、収納物陳列時の包装箱１Ｃを前側左斜め上方から見た斜視図である。図１１は、包装箱１Ｃの展開図である。
【００７１】
これらの図に示す包装箱１Ｃは、図６〜図８に示す包装箱１Ｂに対して、窓部Ｗ２の位置が変更されている構成が異なり、他の構成は同様である。同様な構成については説明を省略する。
【００７２】
窓部Ｗ２は、切断線ａ，ｂ，ｃ，ｄで囲まれて構成される。切断線は、前側板１１の下部近傍において左右に延びる切断線ａと、この切断線ａの右端から上方に延びて折曲線Ｌ９に交差する切断線ｂと、この切断線ｂと平行な切断線ｄ、すなわち、切断線ａの左端から上方に延びて折曲線Ｌ９に交差する切断線ｄと、これら切断線ｂ，ｄの上端を結ぶ切断線ｃとによって構成されている。つまり、切断線ｃは、折曲線Ｌ９と一致している。
【００７３】
このため、窓部Ｗ２は、前天フラップ３１にかかることなく、前側板１１に形成される。そして、窓部Ｗ２の上端は、折曲線Ｌ９と一致している。後側板１３にも同様の窓部Ｗ２が形成されている。
【００７４】
図１２，図１３，図１４を参照して、箱セットＢＤ、包装箱１Ｄについて説明する。ここで、図１２は、外箱１００で包装箱１Ｄを覆った状態の箱セットＢＤを前側左斜め上方から見た斜視図である。図１３は、収納物陳列時の包装箱１Ｄを前側左斜め上方から見た斜視図である。図１４は、包装箱１Ｄの展開図である。
【００７５】
これらの図に示す包装箱１Ｄは、図６〜図８に示す包装箱１Ｂに対して、窓部Ｗ４の位置が変更されている構成が異なり、他の構成は同様である。同様な構成については適宜説明を省略する。
【００７６】
窓部Ｗ４は、切断線ａ，ｂ，ｃ，ｄで囲まれて構成される。切断線は、前側板１１の下部近傍において左右に延びる切断線ａと、この切断線ａの右端から上方に延びて折曲線Ｌ９の手前で終わる切断線ｂと、この切断線ｂと平行な切断線ｄ、すなわち、切断線ａの左端から上方に延びて折曲線Ｌ９の手前で終わる切断線ｄと、これら切断線ｂ，ｄの上端を結ぶ切断線ｃとによって構成されている。つまり、切断線ｃは、折曲線Ｌ９よりも下方に位置し、切断線ｃと折曲線Ｌ９との間には、前側板１１の一部１１ｃが帯状に残されるようになっている。後側板１３にも同様な窓部Ｗ４が形成されている。
【００７７】
このため、図１３に示すように、窓部Ｗ４は、前天フラップ３１にかかることなく、前側板１１に形成される。
【００７８】
このような窓部Ｗ４を有する包装箱１Ｄは、一部１１ｃが残されているために、上述の包装箱１Ｃよりも強度的に強いものとなる。
＜実施形態３＞
【００７９】
図１５，図１６を参照して、本発明を適用した実施形態３に係る箱セット（不図示）の包装箱１Ｅについて説明する。ここで、図１５は、収納物陳列時の包装箱１Ｅを前側左斜め上方から見た斜視図である。図１６は、包装箱１Ｅの展開図である。
【００８０】
包装箱１Ｅは、左右寸法Ｌに対して、上下寸法Ｈの方が大きいサイズであることが特徴である。この場合、右補強部４０Ｅの右脚部４４及び左補強部５０Ｅの左脚部５４の上下方向の長さもＨとなり、包装箱１Ｅの組立時に、上述のように、前側板１１、右側板１２、後側板１３、左側板１４で前後左右の四周を囲った側板部１０Ｅを構成した後に、これらの内側に右脚部４４、左脚部４５を折り込んで入れ込もうとしても、Ｈ＞Ｌであるために、入れ込むことができない。
【００８１】
そこで、本実施形態では、左脚部４４及び右脚部５４の高さ寸法（図１６中の上下方向の寸法）をＨ＋αに設定し、高さ方向の中間近傍に前後方向（同図中では左右方向）の折曲線Ｌ４４，Ｌ５４を設け、組立時に右脚部４４、左脚部５４を折曲線Ｌ４４，Ｌ５４で折り曲げることで、組立時の右脚部４４、左脚部５４の入れこみを可能とした。
【００８２】
ただし、右脚部４４における折曲線４４Ｌよりも上側の部分を上半部４４ｂ、下側の部分を下半部４４ｃとし、また、左脚部５４における折曲線５４Ｌよりも上側の部分を上半部５４ｂ、下側の部分を下半部５４ｃとすると、これら上半部４４ｂ，５４ｂ、下半部４４ｃ，５４ｃのいずれも、左右寸法Ｌよりも小さいものとする。
【００８３】
ここで、Ｈ＋αの「α」は次のようにして決める。図１５に示すように、組立後の包装箱１Ｅにおいて、右脚部４４、左脚部５４の折曲線Ｌ４４，Ｌ５４が右側板１２及び左側板１４の内側面に当接（接触）するようにし、さらに、折曲線Ｌ１３，Ｌ１８が底板に接触して、右ベース４５、左ベース５５が底板２０上に乗って挿し込みタブ４４ａ，５４ａが底フラップ２２，２４のスリット２２ａ，２４ａに挿入できるようにする。このようにαを決める。
【００８４】
本実施形態によれば、折曲線Ｌ４４，Ｌ５４が右側板１２、左側板１４の内側面に当接するので、上方からの荷重を、折曲線Ｌ４４，Ｌ５４を介して、右側板１２、左側板１４で受けることができるので、強度を高めることができる。
【００８５】
図１７，図１８を参照して、上述の包装箱１Ｅの変形例である包装箱１Ｆを示す。
【００８６】
包装箱１Ｆにおいては、右補強部４０Ｆの右脚部４４の挿し込みタブ４４ａ及び左補強部５０Ｆ左脚部５４の挿し込みタブ５４ａを挿入するためのスリット２２ａ，２４ａを、底フラップ２２，２４における、折曲線Ｌ６，Ｌ８に沿うように設けている。
【００８７】
図１７に示すように、右脚部４４、左脚部５４における、折曲線Ｌ４４，Ｌ５４よりも上側に位置する上半部４４ｂ，５４ｂは、右受台４１、左受台５１の内端縁から斜め外側に向けて下方に延び、それぞれの折曲線Ｌ４４，Ｌ５４を右側板１２、左側板１４の内側面に当接させた後、折曲線Ｌ４４，Ｌ５４よりも下側に位置する下半部４４ｃ，５４ｃが右側板１２、左側板１４の内側面に接触したままの状態で、底板２０に至り、それぞれの挿し込みタブ４４ａ，５４ａをスリット２２ａ，２４ａに挿入させている。
【００８８】
包装箱１Ｆは、右受台４１、左受台５１にかかった荷重を、右脚部４４、左脚部５４の折曲線Ｌ４４，Ｌ５４よりも下に位置する部分を介して、右側板１２、左側板１４で受けることができるので、大きな荷重を支えることができる。
＜実施形態４＞
【００８９】
図２０，図２１を参照して、本発明を適用した実施形態４に係る包装箱１Ｇについて説明する。ここで、図２０は、収納物陳列時の包装箱１Ｇを前側左斜め上方から見た斜視図である。図２１は、包装箱１Ｇの展開図である。
【００９０】
包装箱１Ｇは、右側板１２の上端縁を屈曲させて、内側に１８０度折り返すことで、右脚部４６を形成し、このときの折り返し部（屈曲部）を右受台４１Ｇとしている。同様に、左側板１４の上端縁を屈曲させて、内側に１８０度折り返すことで、左脚部５６を形成し、このときの折返し部（屈曲部）を左受台５１Ｇとしている。
【００９１】
また、ブリッジ部３９を構成する前ブリッジ３７Ｇ、後ブリッジ３８Ｇの右端縁（一方の端縁）３７ａ，３８ａを右脚部４６の内側面４６ａに当接させ、左端縁（他方の端縁）３７ｂ，３８ｂを左脚部５６の内側面５６ａに当接させている。これにより、右側板１２及び右脚部４６が内側に倒れ込むのを防止し、また、左側板１４及び左脚部５６が内側に倒れ込むのを防止することができる。
【００９２】
なお、前ブリッジ３７Ｇ、後ブリッジ３８Ｇの両端部の形状は、図示例では三角形であるが、これは、例えば長方形状等の他の形状に変更することも可能である。
【００９３】
図２２，図２３を参照して、包装箱１Ｇの変形例である包装箱１Ｈについて説明する。ここで、図２２は、収納物陳列時の包装箱１Ｈを前側左斜め上方から見た斜視図である。図２３は、包装箱１Ｈの展開図である。
【００９４】
包装箱１Ｈは、上述の包装箱１Ｇと同様、右受台４１Ｈを右側板１２の上端縁の折り返し部（屈曲部）によって形成し、左受台５１Ｈを左側板１４の上端縁の折り返し部（屈曲部）によって形成している。
【００９５】
包装箱１Ｈは、以下の点で包装箱１Ｇとは異なる。
【００９６】
包装箱１Ｈは、右受台４１Ｈ及び右脚部４６における、前ブリッジ３７Ｈ及び後ブリッジ３８Ｈの右端部に対応する位置に、右スリット４０ｃが形成されている。また、左受台５１Ｈ及び左脚部５６における、前ブリッジ３７Ｈ及び後ブリッジ３８Ｈの左端部に対応する位置に左スリット５０ｃが形成されている。
【００９７】
さらに、前ブリッジ３７Ｈ、後ブリッジ３８Ｈの右端縁及び左端縁は、段ボール板の厚さに相当する段部が形成されていて、右端縁は、右上端縁３７ｃ，３８ｃとこれらよりも内側に位置する右下端縁３７ｄ，３８ｄを有している。また、左端縁は、左上端縁３７ｅ，３８ｅとこれらよりも内側に位置する左下端縁３７ｆ，３８ｆを有している。そして、右上端縁３７ｃ，３８ｃは、右スリット４０ｃに挿入され、左上端縁３７ｅ，３８ｅは、左スリット５０ｃに挿入されている。
【００９８】
これにより、右上端縁３７ｃ，３８ｃは、右側板１２の内側面１２ｂに当接し、右下端縁３７ｄ，３８ｄは、右脚部４６の内側面４６ａに当接し、左上端縁３７ｅ，３８ｅは、左側板１４の内側面１４ｂに当接し、左下端縁３７ｆ，３８ｆは、左脚部５６の内側面５６ａに当接している。前ブリッジ３７Ｈ及び後ブリッジ３８Ｈの左右両端縁がこのように当接することにより、右側板１２及び右脚部４６が内側に倒れるのを防止し、また、左側板１４及び左脚部５６が内側に倒れることを防止している。
【符号の説明】
【００９９】
１，１Ａ〜１Ｈ，１Ｍ  包装箱
１０，１０Ｃ〜１０Ｅ  側板部
１１  前側板（第１側板）
１２  右側板（第２側板）
１２ｂ  右側板の内側面
１３  後側板（第３側板）
１４  左側板（第４側板）
１４ｂ  左側板の内側面
２０，２０Ａ  底板
３０，３０Ｂ  天板
３１  前天フラップ（第１天フラップ）
３２，３５，３７Ｇ，３７Ｈ  前ブリッジ（第１ブリッジ）
３２ａ，３５ｃ，３７ａ，３７ｃ，３７ｄ  前ブリッジの右端縁（一方の端縁）
３２ｂ，３５ｃ，３７ｂ，３７ｅ，３７ｆ  前ブリッジの左端縁（他方の端縁）
３２ｃ，３５ｅ  前ブリッジの右端部（一方の端部）
３２ｄ，３５ｅ  前ブリッジの左端部（他方の端部）
３３  後天フラップ（第３天フラップ）
３４，３６，３８Ｇ，３８Ｈ  後ブリッジ（第３ブリッジ）
３４ａ，３６ｃ，３８ａ，３８ｃ，３８ｄ  後ブリッジの右端縁（一方の端縁）
３４ｂ，３６ｃ，３８ｂ，３８ｅ，３８ｆ  後ブリッジの左端縁（他方の端縁）
３４ｃ，３６ｅ  後ブリッジの右端部（一方の端部）
３４ｄ，３６ｅ  後ブリッジの左端部（他方の端部）
３５ｄ  凹部（第２係合部）
３６ｄ  凹部（第２係合部）
３９，３９Ｂ  ブリッジ部
４０，４０Ｅ，４０Ｆ  右補強部（第２補強部）
４０ａ，４０ｃ  右スリット（第２スリット）
４１，４１Ｇ  右受台（第２受台）
４２，４４  右脚部（第２脚部）
５０，５０Ｅ，５０Ｆ  左補強部（第４補強部）
５０ａ，５０ｃ  左スリット（第４スリット）
５１，５１Ｇ  左受台（第４受台）
５２，５４  左脚部（第４脚部）
１００  外箱
Ｂ，ＢＣ，ＢＤ  箱セット
Ｌ５  折曲線（第１辺）
Ｌ６  折曲線（第２辺）
Ｌ７  折曲線（第３辺）
Ｌ８  折曲線（第４辺）
Ｌ９  折曲線（第１側板の上端縁）
Ｌ１０  折曲線（第１天フラップの内端縁）
Ｌ１１  折曲線（第２側板の上端縁）
Ｌ１２  折曲線（第２受台の内端縁）
Ｌ１４  折曲線（第３側板の上端縁）
Ｌ１５  折曲線（第３天フラップの内端縁）
Ｌ１６  折曲線（第４側板の上端縁）
Ｌ１７  折曲線（第４受台の内端縁）
１００  外箱
Ｎ  収納物
Ｗ１，Ｗ２，Ｗ３，Ｗ４  窓部
【要約】
【課題】受台に対して上方からかかる荷重に対しても、また、受台のある左側板及び右側板を内側に倒しこもうとする荷重に対して、陳列展示時及び流通時に、十分な強度を発揮することができる箱セットを提供する。
【解決手段】右側板１２、左側板１４の上端縁において内側に向けて折曲されるととともに右側板１２、左側板１４の上端縁に沿って延びる右受台４１、左受台５１と、右受台４１、左受台５１の内端縁から下方に延設されて底板２０に至る右脚部４２、左脚部５２とを有する右補強部４０、左補強部５０と、天板３０に設けられて、右端縁３２ａ，３４ａが右側板１２の内側面に当接し、左端縁３２ｂ，３４ｂが左側板１４の内側面に当接するブリッジ部と、前側板１１に形成された窓部Ｗ１と、を備える。
【選択図】図２【図１】
0005119365.tif 000002
【図２】
0005119365.tif 000003
【図３】
0005119365.tif 000004
【図４】
0005119365.tif 000005
【図５】
0005119365.tif 000006
【図６】
0005119365.tif 000007
【図７】
0005119365.tif 000008
【図８】
0005119365.tif 000009
【図９】
0005119365.tif 000010
【図１０】
0005119365.tif 000011
【図１１】
0005119365.tif 000012
【図１２】
0005119365.tif 000013
【図１３】
0005119365.tif 000014
【図１４】
0005119365.tif 000015
【図１５】
0005119365.tif 000016
【図１６】
0005119365.tif 000017
【図１７】
0005119365.tif 000018
【図１８】
0005119365.tif 000019
【図１９】
0005119365.tif 000020
【図２０】
0005119365.tif 000021
【図２１】
0005119365.tif 000022
【図２２】
0005119365.tif 000023
【図２３】
0005119365.tif 000024